(57)【要約】      （修正有）【課題】四角形の包装袋に飯塊を収容した包装飯塊において、包装袋と飯塊の間に生じる空間を活用して副食を収容することで、包装袋に皺や型崩れが生じることを防止できる副食付き包装飯塊を提供する。【解決手段】シート体で飯塊６を包みつつ、底部、及び左右の両襠部１２を具えた上端開口の扁平の略四角形包装袋１を形成し、両襠部１２の開口側を内側に折り込んで、該開口を熱溶着等で封止した包装飯塊において、包装袋の封止側空間１５に、副食８１を小袋８２に封入した副食パック８を収容する。【選択図】図６
0003153134.tif 000002
【実用新案登録請求の範囲】
【請求項１】
シート体(２)で飯塊(６)を包みつつ、底部(10)、及び左右の両襠部(12)(12)を具えた上端開口(13)の扁平の略四角形包装袋(１)を形成し、両襠部(12)(12)の開口側を内側に折り込んで、該開口(13)を熱溶着等で封止した包装飯塊において、包装袋の開口封止側空間(15)に、副食(81)を小袋(82)に封入した副食パック(８)を収容した、包装飯塊。
【請求項２】
飯塊(６)は三角おにぎりであって、１つの頂部が包装袋(１)の開口封止側に向く様に包装され、三角おにぎりの開口封止側の両斜面の外側に夫々副食パック(８)(８)が収容されている、請求項１に記載の包装飯塊。
【請求項３】
包装袋(１)を形成するシート体(２)は、外フィルム(３)と内フィルム(４)との間に、内、外両フィルム(４)(３)よりも小さいシート状食品(５)を挟んで、内、外両フィルム(４)(３)を溶着して成り、
外フィルム(３)は幅方向の中央部にて長手方向の全長に亘って分断可能部(31)を有し、内フィルム(４)は、２枚のフィルム片(41)(42)の内端どうしを重ねて形成されており、該重なり部(43)は外フィルム(３)の分断可能部(31)に重なっている、請求項１又は２に記載の包装飯塊。
【請求項４】
包装袋(１)の開口封止側空間(15)は外部から見透すことができ、透明小袋(82)内の副食(81)のが外部から見える、請求項１乃至３の何れかに記載の包装飯塊。
【考案の詳細な説明】
【技術分野】
【０００１】
本考案は、おにぎり等の飯塊を袋包装した包装飯塊において、漬物等の副食付きの包装飯塊に関するものである。
【背景技術】
【０００２】
出願人は以前にも副食付き包装おにぎりを提案した。１つは三角おにぎりの外側に、小袋入りの漬物等の副食(以下、「副食パック」)を貼り付けたもの(特許文献１)、１つは三角おにぎりの三角表面に凹み部を設けて、該凹み部に副食パックを嵌め込み、副食パックを含んでおにぎり全体をシート体で包装したものである。
他方、出願人は、１又は複数個のおにぎりや棒状飯等の飯塊を四角形の袋に収容した包装飯塊を提案している(特許文献３)。
【先行技術文献】
【特許文献】
【０００３】
【特許文献１】実開平２−１３１８８６号
【特許文献２】特開２００２−１７６９４号
【特許文献３】特開２００６−３２５６０４号
【考案の概要】
【考案が解決しようとする課題】
【０００４】
特許文献１の包装おにぎりは、包装三角おにぎりの定位置に、副食パックを貼り付ける手間が掛かり、しかも副食パック分だけ包装おにぎりが膨らむので、包装おにぎりを並べて陳列するのに支障を来すことがあった。
【０００５】
特許文献２の包装おにぎりは、おにぎりの三角表面に凹み部を設けるため、おにぎりが型崩れし易すく、食べ難い問題があった。
【０００６】
特許文献３の包装飯塊は、矩形の包装シート上におにぎりを載せ、シート体で飯塊を包みつつ、底部、及び両襠部を具えた一端開口の扁平略四角形の包装袋を形成し、両襠部の開口側を内側に折り込んで、該開口を熱溶着等で封止するものであるが、袋内部の開口封止部側は空間が存在するため、包装飯塊の開口封止側を掴んで箱詰めしたり、陳列棚に並べる際に、袋に皺が生じたり、型崩れて、商品価値を損なう。又、この様に包装袋が型崩れした包装飯塊は、陳列しても購買意欲がそがれる。
【０００７】
本考案は、特許文献３の包装飯塊の開口封止部側の空間内に副食パックを収容することによって、飯塊への凹み形成による型崩れの問題、包装飯塊の外側に副食パックを貼り付けることによる嵩張りの問題、四角袋包装による開口封止部側の皺や型崩れの問題を一挙に解決できる、包装飯塊を明らかにするものである。
【課題を解決するための手段】
【０００８】
本考案は、シート体(２)で飯塊(６)を包みつつ、底部(10)、及び左右の両襠部(12)(12)を具えた上端開口(13)の扁平の略四角形の包装袋(１)を形成し、両襠部(12)の開口(13)側を内側に折り込んで、該開口(13)を熱溶着等で封止した包装飯塊において、包装袋(１)の開口封止側の空間(15)に、副食(81)を小袋(82)に封入した副食パック(８)を収容している。
【考案の効果】
【０００９】
矩形のシート体(２)上に飯塊(６)を載せ、シート体(２)で飯塊(６)を包みつつ、底部(10)、及び両襠部(12)(12)を具えた一端開口の扁平四角形の包装袋(１)を形成し、両襠部(12)(12)の開口(13)側を内側に折り込んで、該開口(13)を熱溶着等で封止すると、包装袋(１)の開口封止部側に、必然的に空間(15)が生じる。
本考案の場合、該空間(15)に副食パック(８)を収容するため、包装飯塊に副食パック(８)を収容するための特別の工夫や手間は不要である。
【００１０】
又、従来は、上記空間(15)の存在が、包装袋(１)の開口封止側を掴んだ際に、に皺が生じ易すく、又、袋が型崩れし易い問題があったが、該空間(15)に副食パック(８)を収容することにより、該空間(15)が狭まって、包装袋(１)に皺や型崩れを生じ難くして、商品価値を高め、包装飯塊を美しく陳列でき、購買意欲をかき立てることができる。
【図面の簡単な説明】
【００１１】
【図１】シート体の斜面図である。
【図２】同上のＡ−Ａ線に沿う断面図である。
【図３】同上の分解斜面図である。
【図４】同上の包装手順の説明図である。
【図５】同上の包装を解く手順番の説明図である。
【図６】包装飯塊の斜視図である。
【図７】第２実施例の包装飯塊の斜視図である。
【図８】第３実施例の包装飯塊の斜視図である。
【考案を実施するための形態】
【００１２】
図４ａは、矩形のシート体(２)の上に飯塊(６)を置いた状態を示している。実施例の飯塊(６)は、３個の短い角柱状飯(61)を横に並べたものであって、飯塊(６)全体の大きさは、横長さ約９cm、高さ約５cm、厚み約３cmである。
飯塊(６)は、かやくご飯の塊、或いは白米の塊であり、内部に具を入れてもよい。
【００１３】
図３に示す如く、シート体(２)は、透明外フィルム(３)と透明内フィルム(４)との間に長方形のシート状食品(５)を挟んで形成される。
【００１４】
外フィルム(３)は、長さ(Ｌ)２１〜２２cm、幅長さ(Ｗ)約１４cmである。長さ(Ｌ)は前記飯塊(６)の高さの４倍強、幅長さは飯塊(６)の横長さに厚みの２倍を加えた長さより少し短い。
【００１５】
外フィルム(３)は幅方向の中央部に、該フィルムを全長に亘って長さ方向に裂くことのできる分断可能部(31)を有している。
分断可能部(31)は、カットテープ(32)によって形成される。
実施例では、２本のカットテープ(32)(32)を５〜１０mmの間隔を存して、外フィルム(３)の全長に亘って平行に設けて形成されている。
分断可能部(31)の分断開始端(31a)には、両カットテープ(32)(32)の外側にて、  外フィルム(３)に切込み(33)(33)が施されており、両切込み(33)(33)間の幅で、分断可能部(31)を外フィルム(３)から帯状に分離して外フィルム(３)を裂くことができる。
【００１６】
外フィルム(３)には、包装を解く順序を示す「１」「２」「３」の３つの数字及びフィルムの引っ張り方向を示す矢印(34)(35)(36)(37)(38)が施されている。
数字「１」は、分断可能部(31)の一端側に印される。数字「１」の近傍に、分断可能部(31)の他端側へ向く矢印(34)が施される。
数字「２」は、外フィルム(３)の長さ方向の中央部側より少し矢印(34)側寄り且つ、フィルムの右端寄りに印される。数字「２」の近傍に外向きに２つの矢印(35)(36)が施される。
数字「３」及び矢印(37)(38)は、分断可能部(31)を中心として上記数字「２」、矢印(35)(36)と対称位置に印される。
図４ｄに示す如く、数字「１」「２」「３」及び矢印(34)及び内側の矢印(35)(37)は包装おにぎりの正面に位置し、外側の矢印(36)(38)は、襠部(12)に位置し、包装を解く際にフィルムを摘む位置を示している。
【００１７】
内フィルム(４)は、上記外フィルム(３)に輪郭を一致させて重なり合う大きさであり、同形の長方形の２枚のフィルム片(41)(42)を、互いの長手方向に沿う内側縁を５〜１０mmの重なり幅で重ねて形成される。
【００１８】
シート状食品(５)は、実施例では、シート状海苔(5a)である。
シート状海苔(5a)は、長さ約１３cm、幅長さ約９cmであって、長さは前記飯塊(６)の高さの２倍に、飯塊(６)の厚みを加えた長さ程度、幅長さは、飯塊(６)の横長さと同じ程度である。
シート状海苔(5a)は、その中心が、外フィルム(３)と外フィルム(３)の中心に一致する様に、外フィルム(３)と内フィルム(４)との間に収容される。
【００１９】
図１に示す如く、外フィルム(３)と内フィルム(４)の長手方向に沿う両側縁は超音波溶着、高周波溶着、熱溶着等の線状の溶着(21)によって接合されている。更に、両フィルム(３)(４)の中心とシート状海苔(5a)の中心が略一致する様に、外フィルム(３)と内フィルム(４)は、シート状海苔(5a)に接近して該海苔(5a)を囲んで前記同様にして線状に溶着(22)がなされ、シート状海苔(5a)を位置決めしている。溶着(21)(22)は、外フィルム(３)の分断可能部(31)及び内フィルム(４)の２枚のフィルム片(41)(42)の重なり部(43)には掛かっていない。
【００２０】
上記シート体(２)で飯塊(６)を包みながら包装袋(１)を形成する。
先ず、図４ａに示す如く、シート体(２)の内フィルム(４)の上に、飯塊(６)を倒した状態で載せる。このとき、飯塊(６)の幅中心がシート体(２)の幅中心に揃い、飯塊(６)の底部(62)がシート体(２)の長さ方向の中心近傍に位置する様に載せる。この状態では、シート体(２)内のシート状海苔(5a)は、飯塊(６)の幅方向両端からはみ出していない。
【００２１】
図４ｂに示す如く、シート体(２)を、該シート体(２)の長さ方向の両端縁が揃う様に飯塊(６)の底部(62)を巻いてＵ字状に折り畳んで、シート体(２)を飯塊(６)の両面に被せる。
【００２２】
更に、図４ｃに示す如く、シート体(２)の両側縁を、飯塊(６)の横幅に合わせてシート体(２)の長手方向に沿い折り重ね、おにぎりの両側面(63)(63)上にて、溶着(７)等によって止めて、襠部(12)を形成する。
これによって、底部(10)、左右の両襠部(12)(12)を具え、底部(10)の反対側が開口(13)した包装袋(１)が形成される。
【００２３】
上記包装袋(１)の開口(13)から副食パック(８)を投入して、飯塊(６)の上に載せる。
副食パック(８)は、透明フィルムで形成した小袋(82)に、たくわん、福神漬、らっきょ漬等の漬物、その他の副食(81)を封入したものである。
副食パック(８)は、包装袋(１)の上部空間(15)に少し余裕のある大きさに形成されている。
【００２４】
包装袋(１)に副食パック(８)を投入後、図４ｄに示す如く、包装袋(１)の両側の襠部(12)(12)の袋開口(13)側を内側に折り込んで、袋開口(13)を、高周波溶着、熱溶着等の溶着によって閉じて封止部(11)を形成する。
【００２５】
包装飯塊の包装を解くには、一方の手で、外フィルム(３)の分断可能部(31)を中心として包装袋(１)の片側にある飯塊部分を、袋の上から軽く掴む様にして保持する。他方の手で分断可能部(31)の手順「１」の矢印(34)で示された分断開始端(31a)を摘んで、分断可能部(31)の長手方向に沿わせて他端側に引っ張る(図５a参照)。分断可能部(31)は外フィルム(３)から帯状に分離し、外フィルム(３)は２分される。
【００２６】
分断可能部(31)を裂いた手で、手順「２」の矢印(35)の外側の矢印(36)で示されたシート体(２)の端縁を摘んで外側に引っ張る。
外フィルム(３)の半分と、該半分の外フィルムに溶着された内フィルム(４)のフィルム片(41)が引っ張り出され、シート状海苔(5a)の半分が露出する(図５ｂ)。
【００２７】
副食パック(８)を取り出した後、該包装袋(１)の片側を引っ張った手で、露出したシート状海苔(5a)の上から飯塊(６)を保持し、他方の手で手順「３」の矢印(37)の外側の矢印(38)で示されたシート体(２)の端縁を摘んで、外側に引っ張る。
飯塊(６)から包装袋(１)が完全に取り除かれ、シート状海苔(5a)だけが残って飯塊(６)に被さる。
湿気ていない、パリパリ感のある新鮮なシート状海苔(5a)が被さった飯塊(６)を食することができる。
【００２８】
図５ｂに示す如く、包装袋(１)の半分がおにぎりに被さった状態で、該半分の包装袋の上からおにぎりを掴んで食すれば、直接におにぎりに手が触れることなく、衛生的である。
包装パック(８)の小袋(82)を開いて、副食(81)を食することができる。
【００２９】
前記した飯塊(６)の包装において、矩形のシート体(２)上に飯塊(６)を載せ、シート体(２)で飯塊(６)を包みつつ、底部(10)、及び両襠部(12)(12)を具えた一端開口(13)の扁平四角形の包装袋(１)を形成し、両襠部(12)(12)の開口側を内側に折り込んで、該開口を熱溶着等で封止すると、包装袋(１)の開口封止側に、必然的に断面略三角形の空間(15)が生じる。
従来は、上記空間(15)の存在が、包装袋(１)の上部を掴んだ際に、皺を生じ易すくし、又、型崩れさせる問題があったが、本考案の場合、該空間(15)に副食パック(８)が収容されているから、包装飯塊に副食パック(８)を収容するための特別の工夫や手間は不要である。
又、上記空間(15)に副食パック(８)が収容されていることにより、該空間が狭まって、包装袋(１)に皺や型崩れが生じ難くなり、包装飯塊を陳列した際の美観が向上する。
又、包装袋(１)の開口封止側には、シート状海苔(5a)存在しておらず、副食パック(８)の存在が外部から判別でき、加えて、透明小袋(82)に封入された副食(81)が外部から見えるので、この点からも購買意欲を高めることができる。
【００３０】
図７、図８は、包装すべき飯塊(６)の他の実施例を示している。
図７は横長棒状の１本の飯塊(６)の上に副食パック(８)を収容している。
図８は、飯塊(６)は三角おにぎりであって、該おにぎりの１つの頂部が包装袋(１)の開口封止側に向く様に包装され、三角おにぎりの開口封止側の両斜面の外側の空間(15)(15)に空間内に、中味の異なる２つの副食パック(８)(８)を収容している。
【００３１】
上記説明は、本考案を説明するためのものであって、実用新案登録請求の範囲に記載の発明を限定し、或は範囲を減縮する様に解すべきではない。又、本考案の各部構成は上記実施例に限らず、実用新案登録請求の範囲に記載の技術的範囲内で種々の変形が可能であることは勿論である。
【符号の説明】
【００３２】
１  包装袋
２  シート体
３  外フィルム
４  内フィルム
５  シート状食品
６  飯塊
８  副食パック
【図１】
0003153134.tif 000003
【図２】
0003153134.tif 000004
【図３】
0003153134.tif 000005
【図４】
0003153134.tif 000006
【図５】
0003153134.tif 000007
【図６】
0003153134.tif 000008
【図７】
0003153134.tif 000009
【図８】
0003153134.tif 000010
【手続補正書】
【提出日】平成21年6月18日(2009.6.18)
【手続補正１】
【補正対象書類名】明細書
【補正対象項目名】０００５
【補正方法】変更
【補正の内容】
【０００５】
特許文献２の包装おにぎりは、おにぎりの三角表面に凹み部を設けるため、おにぎりが型崩れし易く、食べ難い問題があった。
【手続補正２】
【補正対象書類名】明細書
【補正対象項目名】０００６
【補正方法】変更
【補正の内容】
【０００６】
特許文献３の包装飯塊は、矩形の包装シート上におにぎりを載せ、シート体で飯塊を包みつつ、底部、及び両襠部を具えた一端開口の扁平略四角形の包装袋を形成し、両襠部の開口側を内側に折り込んで、該開口を熱溶着等で封止するものであるが、袋内部の開口封止部側は空間が存在するため、包装飯塊の開口封止側を掴んで箱詰めしたり、陳列棚に並べる際に、袋に皺が生じたり、型崩れして、商品価値を損なう。又、この様に包装袋が型崩れした包装飯塊は、陳列しても購買意欲がそがれる。
【手続補正３】
【補正対象書類名】明細書
【補正対象項目名】００１０
【補正方法】変更
【補正の内容】
【００１０】
又、従来は、上記空間(15)の存在が、包装袋(１)の開口封止側を掴んだ際に皺が生じ易く、又、袋が型崩れし易い問題があったが、該空間(15)に副食パック(８)を収容することにより、該空間(15)が狭まって、包装袋(１)に皺や型崩れを生じ難くして、商品価値を高め、包装飯塊を美しく陳列でき、購買意欲をかき立てることができる。
【手続補正４】
【補正対象書類名】明細書
【補正対象項目名】００２９
【補正方法】変更
【補正の内容】
【００２９】
前記した飯塊(６)の包装において、矩形のシート体(２)上に飯塊(６)を載せ、シート体(２)で飯塊(６)を包みつつ、底部(10)、及び両襠部(12)(12)を具えた一端開口(13)の扁平四角形の包装袋(１)を形成し、両襠部(12)(12)の開口側を内側に折り込んで、該開口を熱溶着等で封止すると、包装袋(１)の開口封止側に、必然的に断面略三角形の空間(15)が生じる。
従来は、上記空間(15)の存在が、包装袋(１)の上部を掴んだ際に、皺を生じ易くし、又、型崩れさせる問題があったが、本考案の場合、該空間(15)に副食パック(８)が収容されているから、包装飯塊に副食パック(８)を収容するための特別の工夫や手間は不要である。
又、上記空間(15)に副食パック(８)が収容されていることにより、該空間が狭まって、包装袋(１)に皺や型崩れが生じ難くなり、包装飯塊を陳列した際の美観が向上する。
又、包装袋(１)の開口封止側には、シート状海苔(5a)存在しておらず、副食パック(８)の存在が外部から判別でき、加えて、透明小袋(82)に封入された副食(81)が外部から見えるので、この点からも購買意欲を高めることができる。
【手続補正５】
【補正対象書類名】明細書
【補正対象項目名】００３０
【補正方法】変更
【補正の内容】
【００３０】
図７、図８は、包装すべき飯塊(６)の他の実施例を示している。
図７は横長棒状の１本の飯塊(６)の上に副食パック(８)を収容している。
図８は、飯塊(６)は三角おにぎりであって、該おにぎりの１つの頂部が包装袋(１)の開口封止側に向く様に包装され、三角おにぎりの開口封止側の両斜面の外側の空間(15)(15)内に、中味の異なる２つの副食パック(８)(８)を収容している。
【手続補正６】
【補正対象書類名】実用新案登録請求の範囲
【補正対象項目名】全文
【補正方法】変更
【補正の内容】
【実用新案登録請求の範囲】
【請求項１】
シート体(２)で飯塊(６)を包みつつ、底部(10)及び左右の両襠部(12)(12)を具え、上端が開口(13)した扁平の略四角形包装袋(１)を形成し、両襠部(12)(12)の開口側を内側に折り込んで、該開口(13)を熱溶着等で封止した包装飯塊において、包装袋の開口封止側空間(15)に、副食(81)を小袋(82)に封入した副食パック(８)を収容した、包装飯塊。
【請求項２】
飯塊(６)は三角おにぎりであって、１つの頂部が包装袋(１)の開口封止側に向く様に包装され、三角おにぎりの開口封止側の両斜面の外側に夫々副食パック(８)(８)が収容されている、請求項１に記載の包装飯塊。
【請求項３】
包装袋(１)を形成するシート体(２)は、外フィルム(３)と内フィルム(４)との間に、内、外両フィルム(４)(３)よりも小さいシート状食品(５)を挟んで、内、外両フィルム(４)(３)を溶着して成り、
外フィルム(３)は幅方向の中央部にて長手方向の全長に亘って分断可能部(31)を有し、内フィルム(４)は、２枚のフィルム片(41)(42)の内端どうしを重ねて形成されており、該重なり部(43)は外フィルム(３)の分断可能部(31)に重なっている、請求項１又は２に記載の包装飯塊。
【請求項４】
包装袋(１)の開口封止側空間(15)は外部から見透すことができ、副食パックの小袋(82)は透明フィルムで形成され、該透明な小袋(82)内の副食(81)が外部から見える、請求項１乃至３の何れかに記載の包装飯塊。